(57)【要約】【課題】歯科医院の質を維持しつつ患者の定期的な来院を促すことで、患者の健康状態を向上させ、かつ、歯科医院の経営の安定を支援する、クリニック支援プログラム等を提供する。【解決手段】クリニック支援プログラムは、コンピュータに、歯科診療時の患者の口腔内に関する口腔データを取得する第１取得機能と、歯科診療時の内容に関する診療時データを取得する第２取得機能と、口腔データ及び診療時データを、患者毎に関連付けて記憶する記憶機能と、口腔データ及び診療時データを、関連付けられた患者に関する情報とともに所定の表示部に表示させる表示情報を出力する出力機能と、患者に対する、口腔データ及び診療時データに応じた推奨処置情報の入力を受け付ける受付機能と、推奨処置情報を、患者に対応付けられた端末装置へ送信する送信機能とを実現させる。【選択図】図１
2019102002.tif 000002
【特許請求の範囲】
【請求項１】
コンピュータに、
歯科診療時の患者の口腔内に関する口腔データを取得する第１取得機能と、
前記歯科診療時の内容に関する診療時データを取得する第２取得機能と、
前記口腔データ及び前記診療時データを、患者毎に関連付けて記憶する記憶機能と、
前記口腔データ及び前記診療時データを、関連付けられた患者に関する情報とともに所定の表示部に表示させる表示情報を出力する出力機能と、
前記患者に対する、前記口腔データ及び前記診療時データに応じた推奨処置情報の入力を受け付ける受付機能と、
前記推奨処置情報を、前記患者に対応付けられた端末装置へ送信する送信機能と、
を実現させるクリニック支援プログラム。
【請求項２】
前記記憶機能は、前記診療時データとして、前記歯科診療を行った歯科医、及び、歯に関する所定の処置を行った人物の少なくともいずれか一方を記憶し、
前記出力機能は、前記記憶機能によって記憶された、前記歯科医に関する情報、又は、前記人物に関する情報を表示させる表示情報を出力する、
ことを特徴とする請求項１に記載のクリニック支援プログラム。
【請求項３】
前記コンピュータに、
前記患者に対応付けられた端末装置から、前記患者の口腔内画像を取得する第３取得機能をさらに実現させ、
前記出力機能は、前記口腔内画像を表示させる表示情報を出力し、
前記受付機能は、前記患者の口腔内画像に応じた推奨処置情報の入力を受け付ける、
ことを特徴とする請求項１に記載のクリニック支援プログラム。
【請求項４】
前記第３取得機能は、前記患者に対応付けられた端末装置から、前記患者の食事に関する情報を取得し、
前記出力機能は、前記食事に関する表示情報を出力し、
前記受付機能は、前記患者の食事に応じた推奨処理情報の入力を受け付ける、
ことを特徴とする請求項１〜３のいずれか一項に記載のクリニック支援プログラム。
【請求項５】
前記第３取得機能は、前記患者に対応付けられた端末装置から、前記患者の行った運動に関する情報を取得し、
前記出力機能は、前記運動に関する表示情報を出力し、
前記受付機能は、前記患者の行った運動に応じた推奨処理情報の入力を受け付ける、
ことを特徴とする請求項１〜４のいずれか一項に記載のクリニック支援プログラム。
【請求項６】
前記受付機能は、前記患者の診療側に対する推奨処置情報の入力を受け付け、
前記出力機能は、前記診療側に対応付けられた端末装置へ、前記推奨処理情報を表示させる表示情報を出力する、
ことを特徴とする請求項１〜５のいずれか一項に記載のクリニック支援プログラム。
【請求項７】
コンピュータに、
歯科診療時の患者の口腔内に関する口腔データを取得する第１取得ステップと、
前記歯科診療時の内容に関する診療時データを取得する第２取得ステップと、
前記口腔データ及び前記診療時データを、患者毎に関連付けて記憶する記憶ステップと、
前記口腔データ及び前記診療時データを、関連付けられた患者に関する情報とともに所定の表示部に表示させる表示情報を出力する出力ステップと、
前記患者に対する、前記口腔データ及び前記診療時データに応じた推奨処置情報の入力を受け付ける受付ステップと、
前記推奨処置情報を、前記患者に対応付けられた端末装置へ送信する送信ステップと、
を実行させるクリニック支援方法。
【請求項８】
歯科診療時の患者の口腔内に関する口腔データを取得する第１取得部と、
前記歯科診療時の内容に関する診療時データを取得する第２取得部と、
前記口腔データ及び前記診療時データを、患者毎に関連付けて記憶する記憶部と、
前記口腔データ及び前記診療時データを、関連付けられた患者に関する情報とともに所定の表示部に表示させる表示情報を出力する出力部と、
前記患者に対する、前記口腔データ及び前記診療時データに応じた推奨処置情報の入力を受け付ける受付部と、
前記推奨処置情報を、前記患者に対応付けられた端末装置へ送信する送信部と、
を備えるクリニック支援装置。
【発明の詳細な説明】
【技術分野】
【０００１】
本発明は、クリニックの患者に、診療時及び日常時に適切なアドバイスを送付することで、結果的にクリニックを支援するクリニック支援プログラム、クリニック支援方法、及び、クリニック支援装置に関する。
【背景技術】
【０００２】
近年、歯が人の健康に様々な影響を与え得ることや、歯の状態が疾患の一因となり得ることが判明し、定期的な歯科診療の重要性が高まっている。例えば、特許文献１には、場所や時間を選ばずに気軽に歯に関するアドバイスを受けることができるシステムが開示されている。
【先行技術文献】
【特許文献】
【０００３】
【特許文献１】特開２００２−８３０６０号公報
【発明の概要】
【発明が解決しようとする課題】
【０００４】
しかしながら、特許文献１に記載のシステムでは、専門の知識を有する歯科医による定期的な診療が必要であるにも関わらず、患者に、歯科医院へ来院することを促すものではない。なお、歯科医や歯科衛生士を数多く抱える歯科医院においては、異なる歯科医が一人の患者を診療することもたびたび起こり得る。その際、診療技術の程度や方向性に差異があると、患者に不信感を与えることとなり、患者が定期的に来院する動機を削ぐ原因となる。
【０００５】
そこで、本発明は、歯科医院の質を維持しつつ患者の定期的な来院を促すことで、患者の健康状態を向上させ、かつ、歯科医院の経営の安定を支援する、クリニック支援プログラム、クリニック支援方法、及び、クリニック支援装置を提供することを目的とする。
【課題を解決するための手段】
【０００６】
本発明の一実施形態におけるクリニック支援プログラムは、コンピュータに、歯科診療時の患者の口腔内に関する口腔データを取得する第１取得機能と、歯科診療時の内容に関する診療時データを取得する第２取得機能と、口腔データ及び診療時データを、患者毎に関連付けて記憶する記憶機能と、口腔データ及び診療時データを、関連付けられた患者に関する情報とともに所定の表示部に表示させる表示情報を出力する出力機能と、患者に対する、口腔データ及び診療時データに応じた推奨処置情報の入力を受け付ける受付機能と、推奨処置情報を、患者に対応付けられた端末装置へ送信する送信機能とを実現させる。
【０００７】
さらに、本発明の一実施形態におけるクリニック支援プログラムにおいて、記憶機能は、診療時データとして、歯科診療を行った歯科医、及び、歯に関する所定の処置を行った人物の少なくともいずれか一方を記憶し、出力機能は、記憶機能によって記憶された、歯科医に関する情報、又は、人物に関する情報を表示させる表示情報を出力することとしてもよい。
【０００８】
さらに、本発明の一実施形態におけるクリニック支援プログラムは、コンピュータに、
患者に対応付けられた端末装置から、患者の口腔内画像を取得する第３取得機能をさらに実現させ、出力機能は、口腔内画像を表示させる表示情報を出力し、受付機能は、患者の口腔内画像に応じた推奨処置情報の入力を受け付けてもよい。
【０００９】
さらに、本発明の一実施形態におけるクリニック支援プログラムにおいて、第３取得機能は、患者に対応付けられた端末装置から、患者の食事に関する情報を取得し、出力機能は、食事に関する表示情報を出力し、受付機能は、患者の食事に応じた推奨処理情報の入力を受け付けてもよい。
【００１０】
さらに、本発明の一実施形態におけるクリニック支援プログラムにおいて、第３取得機能は、患者に対応付けられた端末装置から、患者の行った運動に関する情報を取得し、出力機能は、運動に関する表示情報を出力し、受付機能は、患者の行った運動に応じた推奨処理情報の入力を受け付けてもよい。
【００１１】
さらに、本発明の一実施形態におけるクリニック支援プログラムにおいて、受付機能は、患者の診療側に対する推奨処置情報の入力を受け付け、出力機能は、診療側に対応付けられた端末装置へ、推奨処理情報を表示させる表示情報を出力することとしてもよい。
【００１２】
また、本発明の一実施形態におけるクリニック支援方法は、コンピュータに、歯科診療時の患者の口腔内に関する口腔データを取得する第１取得ステップと、歯科診療時の内容に関する診療時データを取得する第２取得ステップと、口腔データ及び診療時データを、患者毎に関連付けて記憶する記憶ステップと、口腔データ及び診療時データを、関連付けられた患者に関する情報とともに所定の表示部に表示させる表示情報を出力する出力ステップと、患者に対する、口腔データ及び診療時データに応じた推奨処置情報の入力を受け付ける受付ステップと、推奨処置情報を、患者に対応付けられた端末装置へ送信する送信ステップと、を実行させる。
【００１３】
また、本発明の一実施形態におけるクリニック支援装置は、歯科診療時の患者の口腔内に関する口腔データを取得する第１取得部と、歯科診療時の内容に関する診療時データを取得する第２取得部と、口腔データ及び診療時データを、患者毎に関連付けて記憶する記憶部と、口腔データ及び診療時データを、関連付けられた患者に関する情報とともに所定の表示部に表示させる表示情報を出力する出力部と、患者に対する、口腔データ及び診療時データに応じた推奨処置情報の入力を受け付ける受付部と、推奨処置情報を、患者に対応付けられた端末装置へ送信する送信部とを備える。
【００１４】
本発明によれば、患者の健康状態を向上させ、かつ、歯科医院の経営の安定を支援する、クリニック支援プログラム、クリニック支援方法、及び、クリニック支援装置を提供することができる。
【図面の簡単な説明】
【００１５】
【図１】本発明の一実施形態によるクリニック支援システム構成の概略図である。
【図２】本発明の一実施形態によるサーバ（クリニック支援装置）のブロック図の一例である。
【図３】本発明の一実施形態による端末装置のブロック図の一例である。
【図４】本発明の一実施形態による、ユーザ情報データベースの一例である。
【図５】（ａ）、（ｂ）とも、本発明の一実施形態による、表示情報の一例である。
【図６】本発明の一実施形態による、表示情報の一例である。
【図７】本発明の一実施形態による、推奨処理情報の受付画面の一例である。
【図８】本発明の一実施形態による、クリニック支援方法のフローチャートの一例である。
【図９】（ａ）、（ｂ）、（ｃ）とも、本発明の一実施形態による、端末装置の画面例である。
【図１０】（ａ）、（ｂ）とも、本発明の一実施形態による、端末装置の画面例である。
【図１１】本発明の一実施形態による、クリニック支援システムのシーケンス図の一例である。
【発明を実施するための形態】
【００１６】
以下、諸図面を参照しながら、本発明の一実施形態を詳細に説明する。図１は、本発明の一実施形態によるクリニック支援システム構成の概略図である。図１に示すように、クリニック支援システム４００は、クリニックに関連付けられたサーバ（クリニック支援装置）１００と、複数の端末装置２００Ａ，２００Ｂとを少なくとも含む。クリニック支援装置１００は、ネットワーク３００を介して各端末装置２００Ａ，２００Ｂと相互通信可能に接続される。なお、クリニック支援装置１００は、図１では２つ示してあるが、より多くのサーバ群として実現されてもよいし、単独で実現されてもよい。また、図１では、クリニック支援装置１００がクリニックに設置されている態様で示してあるが、クリニック支援装置１００は、クラウド上にあっても、クリニックとは別の場所に設置され、ネットワーク３００を介して、ユーザによる操作が可能であってもよい。
【００１７】
端末装置２００Ａ，２００Ｂは、クリニックの患者に対応付けられた端末装置である。なお、これらは、特に明示する必要がない場合、端末装置２００と総称する。端末装置２００は、図１ではスマートフォンを示してあるが、タブレット、ウェアラブル端末（眼鏡型、腕時計型、ヘッドセット型等）の他、据置型のデスクトップコンピュータといった、ネットワーク３００へ接続可能な端末装置であればどのようなものでもよい。また、図１において、端末装置２００は２台示してあるが、これ以上存在してもよいことは言うまでもない。なお、端末装置２００には、サービス側が提供し、サービスを利用するためのアプリケーションソフト（以降、「アプリ」とも称する）がダウンロードされていてもよいし、ウェブブラウザを介してサービスが提供されてもよい。
【００１８】
図２は、本発明の一実施形態によるサーバ（クリニック支援装置）１００のブロック図である。図２に示すように、クリニック支援装置１００は、制御部１１０、通信Ｉ／Ｆ（インタフェース）部１２０、記憶部１３０及び入力Ｉ／Ｆを備える。詳細は後述するが、これら各部の機能を簡単に説明する。
【００１９】
制御部１１０は、クリニック支援装置１００の各部を制御する機能を有するプロセッサである。制御部１１０は、送受信部１１１、取得部１１２〜１１５、出力部１１６、受付部１１７及び判定部１１８を少なくとも備える。
【００２０】
送受信部１１１は、通信Ｉ／Ｆ部１２０を介した、クリニック支援装置１００と端末装置２００等の外部装置との間の各種情報の送受信（やり取り）を制御する。例えば、送受信部１１１は、端末装置２００から、患者の生活に関する情報等を受信する。また、送受信部１１１は、患者に対する、口腔データ及び診療時データに応じた推奨処置情報を、当該患者に対応付けられた端末装置へ送信する。ここで、患者の生活に関する情報とは、患者の普段の生活において健康に影響し得る要素であって、運動、食事、歯磨き、睡眠等の情報を含む（詳細は後述する）。
【００２１】
取得部１１２は、歯科診療時の患者の口腔内に関する口腔データを取得する。口腔データには、歯の状態（虫歯の進行度合い、歯周病のレベル、治療履歴、レントゲン結果、血液に関する情報等）が含まれる。また、取得部１１２は、歯科診療時の内容に関する診療時データを取得する。診療時データとは、行われた診療の内容に関するデータであって、例えば、担当医、処置を行った歯科衛生士、治療の内容、診療時の患者の様子等が含まれる。これらの情報は、歯科診療時に、歯科医、衛生検査技師、その他、歯科医等の指示を受けた人物によって、図示しない所定の入力部（キーボード、タッチパネル、端末装置等）から入力され、それらの情報は、送受信部１１１または入力Ｉ／Ｆを介して受信される。さらに、取得部１１２は、端末装置２００から、患者の口腔内画像を取得する。患者の口腔内画像とは、所定の撮像手段（カメラ、ビデオ等）を用いて撮像された、患者の口腔内（歯の全体、一部、歯肉等）を示す画像情報、動画情報等である。なお、取得部１１２は、第１取得部１１３〜第３取得部１１５と便宜上分けて記載したが、これらは、単一のプロセッサによって実現されてもよい。
【００２２】
記憶部１３０は、典型的には、ＨＤＤ（Hard Disc Drive）、ＳＳＤ（Solid State Drive）、フラッシュメモリなど各種の記録媒体により実現され、クリニック支援装置１００が動作するうえで必要とする各種プログラム及びデータを記憶（格納）する機能を有する。記憶部１３０は、少なくともユーザ情報データベース（ＤＢ）１３１を含む。図４は、ユーザ情報の一例を示す図である。図４に示すように、ユーザ情報データベース１３１では、患者ＩＤ（IDentifier）に、性別、最終来院日（最新の来院日）、カルテＩＤ等が関連付けられて記憶されている。また、記憶部１３０には、歯科診療時の患者の口腔内に関する口腔データ、及び、歯科診療時の内容に関する診療時データを、患者毎に関連付けて記憶する。
【００２３】
出力部１１６は、口腔データ及び前記診療時データを、関連付けられた患者に関する情報とともに所定の表示部（歯科医等が所持する端末装置、又は、クリニックに設置されている据置型のディスプレイ等）に表示させる表示情報を出力する。図５、図６は、表示情報の一例である。なお、表示情報は、記憶部１３０に、例えばカルテＩＤとして記憶された情報に基づき出力される。図５に示すように、表示情報には、患者の「保険情報」、「経過記録」、「血液検査」、「処置履歴」、「口腔内データ」が含まれる。「保険情報」は、図５（ａ）に示すように、患者の基本情報であり、画像、氏名、生年月日、住所、職業、保険情報（保険番号等）が含まれる。なお、図５に示すように、これらが全て表示、記憶されることは必須ではない。また、「経過記録」は、患者の状態、病状の記録であって、例えば虫歯、歯周病、その他疾患の箇所や程度が記録される。その他、「血液検査」は、患者から採取した血液の検査結果を示す。「口腔内データ」は、図５（ｂ）に示すように、患者の口腔内の画像、テキストデータ等を示す。さらに、「処置履歴」は、図６に示すように、患者に対する所見、診察内容、処置者（医師、検査技師等）を示す。なお、推奨処置記入ボタン１０については後述する。
【００２４】
上記の表示情報は、担当医のみならず、クリニックに関する人物であれば閲覧可能に設定され、例えば、クリニックにおいて経験の豊富な医師、院長、経営者（以降、「院長等」と称する）によって閲覧されることも可能である。従って、医師を多く抱えるクリニックなどでは、患者に対する処置が適切に行われているか否かを、院長等がチェックすることが可能となる。その際、院長等は、患者の治療に不足している処置や、医師へのアドバイス等を、クリニック支援装置１００を介して、担当医に提示することができる。例えば、図６に示すように、出力部１１６は、推奨処置記入ボタン１０を表示させる。推奨処置記入ボタン１０が選択された場合、出力部１１６は、図７に示すような推奨処置記入用の領域１１を表示させる。受付部１１７は、患者に対する、口腔データ及び診療時データに応じた推奨処置情報の入力を受け付ける。記入された推奨処置情報は、記憶部１３０へ記憶され、例えば、担当医がカルテＩＤに関する情報を閲覧した際に、ポップアップ表示されるように設定されてもよい。
【００２５】
次に、端末装置２００について説明する。図３に示すように、端末装置２００は、制御部２１０、通信Ｉ／Ｆ部２２０、記憶部２３０、入力受付部２４０、表示部２５０、音声Ｉ／Ｆ２６０、スピーカ２７０及び撮像部２８０を備える。
【００２６】
通信Ｉ／Ｆ部２２０は、図示しないアンテナ等のインターフェースである。すなわち、通信Ｉ／Ｆ部２２０は、クリニック支援装置１００のような外部装置と、ネットワーク３００を介してデータを通信させる機能を有する。
【００２７】
記憶部２３０は、端末装置２００が動作するうえで必要とする各種プログラムや各種データを記憶する機能を有する。例えば、記憶部２３０には、本実施形態に係るサービスを享受するのに必要なアプリのプログラム等の情報が含まれる。また、詳細は後述するが、記憶部２３０は、患者が運動する際のデータ記録、計測等を補助する所定のアプリのプログラムを記憶してもよい。なお、記憶部２３０は、典型的には、ＨＤＤ、ＳＳＤ、フラッシュメモリなど各種の記録媒体により実現される。
【００２８】
入力受付部２４０は、ユーザからの入力を受け付けて、当該入力に係る情報を、制御部２１０に伝達する。端末装置２００において、入力受付部２４０は、タッチパネルなどにより実現され、ユーザの指やスタイラスなどの指示具による接触とその接触位置を検出し、接触位置の座標を情報処理部２１１に伝達する。
【００２９】
制御部２１０は、端末装置２００の各部を制御する機能を有するプロセッサである。制御部２１０は、情報処理部２１１、表示処理部２１２、判定部２１３及び送受信部２１４を含む。情報処理部２１１は、各種情報の処理を行う。例えば、情報処理部２１１は、送受信部２１４が通信Ｉ／Ｆ部２２０を介してクリニック支援装置１００から受信した情報を、表示処理部２１２に伝達する。表示処理部２１２は、情報処理部２１１から伝達された表示用のデータを画素情報に変換し、表示部２５０のフレームバッファに書き込む機能を有する。送受信部２１４は、入力受付部２４０から入力された情報にしたがって、通信Ｉ／Ｆ部２２０からクリニック支援装置１００に情報を送信するように制御する機能を有する。
【００３０】
表示部２５０は、表示処理部２１２によりフレームバッファに書き込まれた表示データに従って、画像を表示する機能を有するモニタであり、典型的には液晶ディスプレイで実現される。表示部２５０は、ネットワーク３００を介してクリニック支援装置１００から受信する出力情報に基づき、各種表示画面を表示する。音声Ｉ／Ｆ２６０は、スピーカ２７０や図示しないイヤホンのインタフェースである。なお、音声Ｉ／Ｆ２６０を介して、各種情報が音声出力されてもよいし、所定の通知音が出力されてもよい。また、ユーザからの情報の入力が、音声によって指示されてもよい。  撮像部２８０は、カメラであって、患者の口腔内や、食事等を撮像する（詳細は後述する）。
【００３１】
本発明の一実施態様によれば、患者の日常の生活に関する情報に基づき、医師による適切なアドバイスが送信される。以下に、図を用いて説明する。図９は、端末装置２００の表示画面の一例である。まず、図９（ａ）は、端末装置２００に、ユーザの運動を補助する所定の運動補助アプリがインストールされ、ユーザが例えばランニングを行った場合の測定結果を示す画面８０の一例である。図に示すように、運動補助アプリによって、ユーザの走行距離、走行時間、及び、消費カロリーといった、運動に関する情報が測定され、画面８０に表示されている。ユーザは、例えば送信ボタンを選択することによって、上記運動に関する情報を、クリニック支援装置１００へ送信することができる。なお、所定の運動アプリではなく、クリニック支援システム４００によって提供される専用のアプリを用いて、それらの情報が送信されてもよい。
【００３２】
さらに、図９（ｂ）は、端末装置２００に表示された、ユーザの食事に関する情報を示す画面８１の一例である。図に示すように、患者は、日々の食事を撮像部２８０によって撮像し、食事の内容を示すテキストデータとともに、クリニック支援装置１００へ送信することができる。なお、クリニック支援システム４００によって提供される専用のアプリを用いて、それらの情報が送信されてもよい。これにより、患者の栄養素別の摂取量をデータ化して把握することができる。その上で、患者へ定期的な栄養指導を行うことが可能となる。なお、処方されている薬やサプリメントの摂取状況も、合わせて記録されてもよい。
【００３３】
さらに、図９（ｃ）は、端末装置２００に表示された、ユーザの口腔内データに関する情報を示す画面８２の一例である。ユーザは、口腔内画像、歯磨きの有無などに関する情報を、クリニック支援装置１００へ送信することができる。なお、ユーザの歯の管理を補助する所定のアプリによって、毎日の歯磨き、歯磨き時間、画像等が記憶され、それらの情報が、クリニック支援装置１００へ送信されてもよいし、クリニック支援システム４００によって提供される専用のアプリを用いて、それらの情報が送信されてもよい。また、上記で説明した食事に関する情報と、歯磨きに関する情報とは、同一のアプリで管理できてもよい。これにより、患者の口腔内における細菌の状態や、咬み合わせの把握が可能となる。その上で、それら咬み合わせ細菌のコントロールを目的として、定期的な口腔内のクリーニングのために来院することを促すことができる。さらに、診療時に、クリーングの前の歯の汚れと言った注意点などを、医師または衛生士が記録し、端末装置２０へ、それらの情報が送信されてもよい。これにより、患者自身が気付けない歯の磨き残し部位などを、毎日の記録と関連付けて周知させ、歯の疾患予防を徹底することができる。
【００３４】
クリニック支援装置１００は、図９で説明した情報を受信すると、記憶部１３０に、患者のカルテＩＤに関連付けてそれらの情報を記憶する。そして、出力部１１６が、患者の基本情報と関連付けて、それらの情報を表示部に表示させる。担当医や、院長等は、それらの情報を閲覧し、クリニックでの診療内容や、患者の口腔内データを考慮した上で、図７を用いて説明したように、患者に対する推奨処置情報を入力することができる。入力された推奨処置情報は、患者の端末装置２００へ送信される。
【００３５】
図１０は、推奨処理情報が表示された端末装置２００の画面例である。例えば、図１０（ａ）に示すように、歯の検診を勧める表示９０や、（ｂ）に示すように、食事に関するアドバイス表示９１が表示される。
【００３６】
このように、本発明の一実施形態によれば、患者の日常の生活に関する情報と、診療内容とに応じた、適切なアドバイスを、患者に提供することができる。すなわち、患者から画像等で送信された情報をクリニックでデータ化し、効果的なメッセージや有益な情報を、絶えず送ることができる。これにより、患者の定期的な来院を促し、診療を継続化できる。また、これにより、本発明の一実施態様によるクリニック支援システムによるクリニックと、他のクリニックとの差別化が可能となる。
【００３７】
なお、医学的見地から患者にアドバイスされる事項を、以下に列挙する。
＜食事＞
食事に関しては、分子栄養医学的（オーソモレキュラー）見地からみた低糖質、高タンパクな食の提供を推奨する。例えば、体重５０ｋｇの人物が１日に必要なタンパク質量は５０ｇであること、糖質はできる限り抑えることが望ましいとの見地から、患者の食事内容に関するデータに基づき、それらが実践されているかを判断する。さらに、食事にかかる時間、順番なども記録し、糖値の変動を少なくするような食べ方、順番などの指導や啓蒙を行う。
【００３８】
＜咀嚼＞
様々な疾患の原因となり得る、口腔内の細菌のコントロールが必要である。従って、診療時には、バイオフィルムを定期的に取り除き予防を徹底する。その上で、顎関節、頚椎、頭蓋に合わせた咬み合わせを維持させるような治療を行う。
【００３９】
＜消化吸収＞
分子栄養医学（オーソモレキュラー）を用いて、患者の血液情報に基づき、各患者に合った必要かつ十分な栄養の摂り方や、消化の改善、促進ができるような指導、サプリメントの提案を行う。
【００４０】
＜運動＞
筋力の維持を目的とした定期的な運動の場や、ストレッチの手法を提供する。血液情報や、基本情報から判明する過度の肥満に関しては、運動と食事の処方を行い、適正体重にするためのプログラムを作成し、指導する。
【００４１】
次に、上述したクリニック支援装置１００によるクリニック支援方法について、図を用いて説明する。図８は、クリニック支援装置１００によるクリニック支援方法のフローチャートである。まず、記憶部１３０は、歯科診療時の患者の口腔内に関する口腔データを取得する（ステップＳ１１）。具体的には、図５，図６で説明した情報が、記憶部１３０に記憶される。そして、取得部１１１２が、歯科診療時の内容に関する診療時データを取得する（ステップＳ１２）。記憶部１３０は、口腔データ及び診療時データを、患者毎に関連付けて記憶する（ステップＳ１３）。
【００４２】
次に、出力部１１６が、口腔データ及び診療時データを、関連付けられた患者に関する情報とともに所定の表示部に表示させる表示情報を出力する（ステップＳ１４）。これは、図５、６にて説明した画面例である。そして、受付部１１７が、患者に対する、口腔データ及び診療時データに応じた推奨処置情報の入力を受け付ける（ステップＳ１５）。そして、送受信部１１１は、推奨処置情報を、患者に対応付けられた端末装置へ送信する（ステップＳ１６）。
【００４３】
次に、クリニック支援装置１００と、患者の端末装置２００Ａとによるクリニック支援処理について説明する。図１１は、一実施形態における、クリニック支援装置１００と、患者の端末装置２００Ａとによるクリニック支援処理の流れを示すシーケンス図である。
【００４４】
端末装置２００は、患者の生活に関する情報を送信する（ステップＳ２１）。クリニック支援装置１００の出力部１１６は、患者の生活に関する情報を所定の表示部へ表示させる（ステップＳ２２）。そして、クリニック支援装置１００の受付部１１７は、推奨処理情報の入力を受け付ける（ステップＳ２３）。クリニック支援装置１００は、推奨処理情報を端末装置２００へ送信する。（ステップＳ２４）。その後、端末装置２００の表示処理部２１２は、推奨処理情報を表示させる（ステップＳ２５）。
【００４５】
上述のように、本発明の一実施形態によれば、患者の健康状態を向上させ、かつ、歯科医院の経営の安定を支援する、クリニック支援プログラム、クリニック支援方法、及び、クリニック支援装置を提供することができる。
【００４６】
本発明を諸図面や実施例に基づき説明してきたが、当業者であれば本開示に基づき種々の変形や修正を容易に行えることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。また、上記実施の形態に示す構成を適宜組み合わせることとしてもよい。例えば、クリニック支援装置１００の機能として説明した処理は、端末装置２００によって行われても良い。また、クリニック支援装置１００が備えるとして説明した各構成部は、複数の情報処理装置によって分散されて実現されてもよい。
【００４７】
本発明に係る発明の一実施形態を説明したが、本発明はこれに限られないことは言うまでもない。例えば、上述において、クリニック支援装置１００の記憶部１３０に記憶されると説明した各種情報は、クリニック支援装置１００とは別の外部メモリや、クラウド上に記憶されてもよい。
【００４８】
また、クリニック支援装置の制御部に、人工知能（ＡＩ：artificial intelligence）が用いられてもよい。例えば、患者の血液情報に基づき、患者に必要な献立、レシピなどが出力されてもよい。これにより、管理栄養士などの専門家を必要とせずに、専門的な食事に関するアドバイスが可能となる。また、患者の血液情報に基づき、必要なサプリメントや薬が処方されてもよい。
【００４９】
さらに、口腔内データの取得に、ロボットが用いられてもよい。例えば、ロボットによって、口腔内を３次元でスキャンしてもよい。また、歯のクリーニング、ホワイトニングは、ロボットによって行われてもよい。これにより、人件費の削減、教育が不要となり、少人数での歯科医院運営を可能として、結果的にクリニックの支援につなげることができる。既に可能な部分もあるが、血液データや問診からAI処理し必要なサプリメントや薬を処方できるようになる。
【００５０】
また、患者の歩行、走行状態、ストレッチなどの動画記録から、身体のズレや筋肉や骨の状態を把握することが可能となる。これにより、専門的な知識を必要とせずに、運動やストレッチの処方が可能となる。
【００５１】
クリニック支援装置１００の各機能部は、集積回路（ＩＣ（Integrated Circuit）チップ、ＬＳＩ（Large Scale Integration））等に形成された論理回路（ハードウェア）や専用回路によって実現してもよいし、ＣＰＵ（Central Processing Unit）を用いてソフトウェアによって実現してもよい。また、各機能部は、１または複数の集積回路により実現されてよく、複数の機能部の機能を１つの集積回路により実現されることとしてもよい。
【００５２】
クリニック支援装置１００の各機能部をソフトウェアにより実現する場合、クリニック支援装置１００または端末装置２００は、各機能を実現するソフトウェアであるプログラムの命令を実行するＣＰＵ、上記プログラム及び各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。すなわち、本発明に係る情報処理装置１００は、ＣＰＵがＲＡＭ上にロードされたプログラムを実行することにより、送受信部１１１、取得部１１２〜１１５、出力部１１６、受付部１１７及び判定部１１８として機能する。上記記録媒体としては、「一時的でない有形の媒体」、例えば、半導体メモリ、プログラマブルな論理回路などを用いることができる。また、上記プログラムは、当該プログラムを伝送可能な任意の伝送媒体（通信ネットワークや放送波等）を介して上記コンピュータに供給されてもよい。本発明は、上記プログラムが電子的な伝送によって具現化された、搬送波に埋め込まれたデータ信号の形態でも実現され得る。
【００５３】
なお、上記プログラムは、例えば、ActionScript、JavaScript（登録商標）、Python、Rubyなどのスクリプト言語、C言語、C＋＋、C＃、Objective-C、Swift、Java（登録商標）などのオブジェクト指向プログラミング言語、HTML5などのマークアップ言語などを用いて実装できる。
【符号の説明】
【００５４】
１００  クリニック支援装置
１１０  制御部
１１１  送受信部
１１２〜１１５  取得部
１１６  出力部
１１７  受付部
１１８  判定部
１２０  通信Ｉ／Ｆ部
１３０  記憶部
１３１  ユーザ情報データベース
２００  端末装置
２１０  制御部
２１１  情報処理部
２１２  表示処理部
２１３  判定部
２１４  送受信部
２３０  記憶部
２４０  入力受付部
２５０  表示部
２７０  スピーカ
２８０  撮像部
３００  ネットワーク
４００  クリニック支援システム
【図１】
2019102002.tif 000003
【図２】
2019102002.tif 000004
【図３】
2019102002.tif 000005
【図４】
2019102002.tif 000006
【図５】
2019102002.tif 000007
【図６】
2019102002.tif 000008
【図７】
2019102002.tif 000009
【図８】
2019102002.tif 000010
【図９】
2019102002.tif 000011
【図１０】
2019102002.tif 000012
【図１１】
2019102002.tif 000013
【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
コンピュータに、
歯科診療時の患者の口腔内に関する口腔データを取得する第１取得機能と、
前記歯科診療時の内容に関する診療時データを取得する第２取得機能と、
前記口腔データ及び前記診療時データを、患者毎に関連付けて記憶する記憶機能と、
前記口腔データ及び前記診療時データを、関連付けられた患者に関する情報とともに所定の表示部に表示させる表示情報を出力する出力機能と、
前記患者に対する、前記口腔データ及び前記診療時データに応じた第１推奨処置情報の入力を受け付ける受付機能と、
前記第１推奨処置情報を、前記患者に対応付けられた端末装置へ送信する送信機能と、
を実現させ、
前記受付機能は、前記患者の診療側に対する第２推奨処置情報の入力を、前記患者の担当医と異なる診療従事者からさらに受け付け、
前記出力機能は、前記担当医に対応付けられた端末装置へ、前記第２推奨処置情報を表示させるクリニック支援プログラム。
【請求項２】
前記記憶機能は、前記診療時データとして、前記歯科診療を行った歯科医、及び、歯に関する所定の処置を行った人物の少なくともいずれか一方を記憶し、
前記出力機能は、前記記憶機能によって記憶された、前記歯科医に関する情報、又は、前記人物に関する情報を表示させる表示情報を出力する、
ことを特徴とする請求項１に記載のクリニック支援プログラム。
【請求項３】
前記コンピュータに、
前記患者に対応付けられた端末装置から、前記患者の口腔内画像を取得する第３取得機能をさらに実現させ、
前記出力機能は、前記口腔内画像を表示させる表示情報を出力し、
前記受付機能は、前記患者の口腔内画像に応じた推奨処置情報の入力を受け付ける、
ことを特徴とする請求項１に記載のクリニック支援プログラム。
【請求項４】
前記第３取得機能は、前記患者に対応付けられた端末装置から、前記患者の食事に関する情報を取得し、
前記出力機能は、前記食事に関する表示情報を出力し、
前記受付機能は、前記患者の食事に応じた推奨処理情報の入力を受け付ける、
ことを特徴とする請求項３に記載のクリニック支援プログラム。
【請求項５】
前記第３取得機能は、前記患者に対応付けられた端末装置から、前記患者の行った運動に関する情報を取得し、
前記出力機能は、前記運動に関する表示情報を出力し、
前記受付機能は、前記患者の行った運動に応じた推奨処理情報の入力を受け付ける、
ことを特徴とする請求項３または４に記載のクリニック支援プログラム。
【請求項６】
コンピュータに、
歯科診療時の患者の口腔内に関する口腔データを取得する第１取得ステップと、
前記歯科診療時の内容に関する診療時データを取得する第２取得ステップと、
前記口腔データ及び前記診療時データを、患者毎に関連付けて記憶する記憶ステップと、
前記口腔データ及び前記診療時データを、関連付けられた患者に関する情報とともに所定の表示部に表示させる表示情報を出力する出力ステップと、
前記患者に対する、前記口腔データ及び前記診療時データに応じた第1推奨処置情報の入力を受け付ける受付ステップと、
前記第1推奨処置情報を、前記患者に対応付けられた端末装置へ送信する送信ステップと、
を実行させ、
前記受付ステップは、前記患者の診療側に対する第２推奨処置情報の入力を、前記患者の担当医と異なる診療従事者からさらに受け付け、
前記出力ステップは、前記担当医に対応付けられた端末装置へ、前記第２推奨処置情報を表示させるクリニック支援方法。
【請求項７】
歯科診療時の患者の口腔内に関する口腔データを取得する第１取得部と、
前記歯科診療時の内容に関する診療時データを取得する第２取得部と、
前記口腔データ及び前記診療時データを、患者毎に関連付けて記憶する記憶部と、
前記口腔データ及び前記診療時データを、関連付けられた患者に関する情報とともに所定の表示部に表示させる表示情報を出力する出力部と、
前記患者に対する、前記口腔データ及び前記診療時データに応じた第1推奨処置情報の入力を受け付ける受付部と、
前記第1推奨処置情報を、前記患者に対応付けられた端末装置へ送信する送信部と、
を備え、
前記受付部は、前記患者の診療側に対する第２推奨処置情報の入力を、前記患者の担当医と異なる診療従事者からさらに受け付け、
前記出力部は、前記担当医に対応付けられた端末装置へ、前記第２推奨処置情報を表示させるクリニック支援装置。
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
コンピュータに、
歯科診療時の患者の口腔内に関する口腔データを取得する第１取得機能と、
前記歯科診療時の内容に関する診療時データを取得する第２取得機能と、
前記口腔データ及び前記診療時データを、患者毎に関連付けて記憶する記憶機能と、
前記口腔データ及び前記診療時データを、関連付けられた患者に関する情報とともに所定の表示部に表示させる表示情報を出力する出力機能と、
前記患者に対する、前記口腔データ及び前記診療時データに応じた第１推奨処置情報の入力を受け付ける受付機能と、
前記第１推奨処置情報を、前記患者に対応付けられた端末装置へ送信する送信機能と、
を実現させ、
前記出力機能は、前記患者の担当医と異なる診療従事者であって、前記担当医の属するクリニックに関係する診療従事者に対し、前記表示情報を閲覧可能に出力し、
前記受付機能は、前記患者の診療側に対する第２推奨処置情報の入力を、前記診療従事者からさらに受け付け、
前記出力機能は、前記担当医に対応付けられた端末装置へ、前記第２推奨処置情報を表示させるクリニック支援プログラム。
【請求項２】
前記記憶機能は、前記診療時データとして、前記歯科診療を行った歯科医、及び、歯に関する所定の処置を行った人物の少なくともいずれか一方を記憶し、
前記出力機能は、前記記憶機能によって記憶された、前記歯科医に関する情報、又は、前記人物に関する情報を表示させる表示情報を出力する、
ことを特徴とする請求項１に記載のクリニック支援プログラム。
【請求項３】
前記コンピュータに、
前記患者に対応付けられた端末装置から、前記患者の口腔内画像を取得する第３取得機能をさらに実現させ、
前記出力機能は、前記口腔内画像を表示させる表示情報を出力し、
前記受付機能は、前記患者の口腔内画像に応じた推奨処置情報の入力を受け付ける、
ことを特徴とする請求項１に記載のクリニック支援プログラム。
【請求項４】
前記第３取得機能は、前記患者に対応付けられた端末装置から、前記患者の食事に関する情報を取得し、
前記出力機能は、前記食事に関する表示情報を出力し、
前記受付機能は、前記患者の食事に応じた推奨処理情報の入力を受け付ける、
ことを特徴とする請求項３に記載のクリニック支援プログラム。
【請求項５】
前記第３取得機能は、前記患者に対応付けられた端末装置から、前記患者の行った運動に関する情報を取得し、
前記出力機能は、前記運動に関する表示情報を出力し、
前記受付機能は、前記患者の行った運動に応じた推奨処理情報の入力を受け付ける、
ことを特徴とする請求項３または４に記載のクリニック支援プログラム。
【請求項６】
コンピュータに、
歯科診療時の患者の口腔内に関する口腔データを取得する第１取得ステップと、
前記歯科診療時の内容に関する診療時データを取得する第２取得ステップと、
前記口腔データ及び前記診療時データを、患者毎に関連付けて記憶する記憶ステップと、
前記口腔データ及び前記診療時データを、関連付けられた患者に関する情報とともに所定の表示部に表示させる表示情報を出力する出力ステップと、
前記患者に対する、前記口腔データ及び前記診療時データに応じた第１推奨処置情報の入力を受け付ける受付ステップと、
前記第１推奨処置情報を、前記患者に対応付けられた端末装置へ送信する送信ステップと、
を実行させ、
前記出力ステップは、前記患者の担当医と異なる診療従事者であって、前記担当医の属するクリニックに関係する診療従事者に対し、前記表示情報を閲覧可能に出力し、
前記受付ステップは、前記患者の診療側に対する第２推奨処置情報の入力を、前記診療従事者からさらに受け付け、
前記出力ステップは、前記担当医に対応付けられた端末装置へ、前記第２推奨処置情報を表示させるクリニック支援方法。
【請求項７】
歯科診療時の患者の口腔内に関する口腔データを取得する第１取得部と、
前記歯科診療時の内容に関する診療時データを取得する第２取得部と、
前記口腔データ及び前記診療時データを、患者毎に関連付けて記憶する記憶部と、
前記口腔データ及び前記診療時データを、関連付けられた患者に関する情報とともに所定の表示部に表示させる表示情報を出力する出力部と、
前記患者に対する、前記口腔データ及び前記診療時データに応じた第１推奨処置情報の入力を受け付ける受付部と、
前記第１推奨処置情報を、前記患者に対応付けられた端末装置へ送信する送信部と、
を備え、
前記出力部は、前記患者の担当医と異なる診療従事者であって、前記担当医の属するクリニックに関係する診療従事者に対し、前記表示情報を閲覧可能に出力し、
前記受付部は、前記患者の診療側に対する第２推奨処置情報の入力を、前記診療従事者からさらに受け付け、
前記出力部は、前記担当医に対応付けられた端末装置へ、前記第２推奨処置情報を表示させるクリニック支援装置。